(57)【要約】【課題】次工程での固着具の遊技盤への適切な取付化を図る。【解決手段】実線で示す予備成形形態で供給されたバンド本体８の固着具をバンド本体８の長手方向に避けた近傍を多点支持するように設けられたハンドツール２７が可動式のローラ２９と固定式のローラ２８の間の隙間に配置された後、ローラ２９がバンド本体８の外側から内側に向けて閉動作し、ローラ２８とローラ２９とがバンド本体８を板厚方向両側から挟む格好で支持して、バンド本体８がローラ２８を基準とした仮想線で示すように遊技盤に取り付けられる本成形形態となる。【選択図】　　　　図１
2004081438.tif 000002
【特許請求の範囲】
【請求項１】
遊技盤に形成されたバンド取付用下穴に挿入する固着具を備えた帯状のバンド本体を遊技盤に取り付けられる弧状に形成する遊技機製造設備のバンド成形装置において、バンド本体の固着具をバンド本体の長手方向に避けた近傍を支持するハンドツールを備え、ハンドツールがバンド本体の板厚方向に相対峙する一対のローラ備え、一対のローラにおけるバンド本体の内側面に接触するローラを定位置に配置し、一対のローラにおけるバンド本体の外側面に接触するローラをバンド本体の内側面に接触するローラに対して可動する機構に形成したことを特徴とする遊技機製造設備のバンド成形装置。
【請求項２】
バンド本体の内側面に接触するローラを支持する支持体には一対のローラで支持されるバンド本体のせり上がりを防止するバンドストッパーが設けられたをことを特徴とする請求項１記載の遊技機製造設備のバンド成形装置。
【請求項３】
バンド本体の長手方向の一端部を位置決めする定基準ブロックとバンド本体の長手方向の他端部を固定基準ブロックの方向に押圧する押圧機構とを備えたことを特徴とする請求項１記載の遊技機製造設備のバンド成形装置。
【発明の詳細な説明】
【０００１】
【発明の属する技術分野】
本発明は、パチンコ機のような球を遊技媒体として使用する遊技機を製造する設備において、遊技盤に球の流れる遊技領域を形成する帯状のバンド本体を遊技盤に取り付けられる弧状に形成する装置に関する。
【０００２】
【従来の技術】
図７は特許第２７１１５００号公報で開示されたバンド成形装置を示し、フォーミング台１０１の上に固定された規制機構１０２で前工程から供給されたバンド１０４における帯状のバンド本体１０５の外側面を規制し、フォーミング台１０１の上に可動可能に設けられた拡張機構１０３でバンド本体１０５の内側面を外側に拡張することで、規制機構１０２と拡張機構１０３とでバンド本体１０５を遊技盤１０７に取り付けられる弧状に形成した状態において、フォーミング台１０１よりも下方に配置された昇降台１０８に設けられたチャックユニット１０９でバンド本体１０５の下部とバンド本体１０５に設けられた固着具１０６の上部とを次工程（固着具１０６を遊技盤１０７に形成されたバンド取付用下孔１１０に挿入する工程）での把持部に持ち替えさせるべく支持するようになっている。
【０００３】
【発明が解決しようとする課題】
しかしながら、前記従来例はチャックユニット１０９で次工程に渡すべく遊技盤１０７に取り付けられる弧状に形成したバンド本体１０５の下部とバンド本体１０５に設けられた固着具１０６の上部とを支持する構造であるため、固着具１０６を遊技盤１０７に形成されたバンド取付用下孔１１０に挿入する次工程における把持部が固着具１０６を支持する機構が複雑になってしまう。その支持機構を簡単にすべく次工程における把持部で固着具１０６以外のバンド本体１０５だけを支持した場合にはバンド本体１０５の弾性的な戻りで遊技盤１０７のバンド取付用下孔１１０に対する固着具１０６の位置が狂い、次工程での固着具１０６のバンド取付用下孔１１０への挿入不良が発生し、にわかに採用しがたいという問題点があった。
【０００４】
そこで、本発明は次工程で固着具を遊技盤に適切に取り付けることができるバンド成形装置を提供するものである。
【０００５】
【課題を解決するための手段】
本発明にあっては、遊技盤に形成されたバンド取付用下穴に挿入する固着具を備えた帯状のバンド本体を遊技盤に取り付けられる弧状に形成する遊技機製造設備のバンド成形装置において、バンド本体の固着具をバンド本体の長手方向に避けた近傍を支持するハンドツールを備え、ハンドツールがバンド本体の板厚方向に相対峙する一対のローラ備え、一対のローラにおけるバンド本体の内側面に接触するローラを定位置に配置し、一対のローラにおけるバンド本体の外側面に接触するローラをバンド本体の内側面に接触するローラに対して可動する機構に形成したことによって、ハンドツールで次工程に渡すべく遊技盤に取り付けられる弧状に形成したバンド本体の固着具をバンド本体の長手方向を避けた近傍を支持するので、固着具を遊技盤に形成されたバンド取付用下孔に挿入する次工程におけるハンドツールに固着具を支持する機構が上記成形装置でのハンドツールを避ける複雑な構造を採用する必要がなく、次工程におけるハンドツールでバンド本体の弾性的な戻りを防止しつつ固着具を支持することでき、固着具をバンド取付用下孔に適切に挿入して、バンドを遊技盤に適切に取り付けることができる。また、本発明にあっては、バンド本体の内側面に接触するローラを支持する支持体には一対のローラで支持されるバンド本体のせり上がりを防止するバンドストッパーが設けられれば、次工程におけるハンドツールに対する固着具の高さを適切な高さに確保することできる。また、本発明にあっては、バンド本体の長手方向の一端部を位置決めする定基準ブロックとバンド本体の長手方向の他端部を固定基準ブロックの方向に押圧する押圧機構とを備えれば、次工程におけるハンドツールに対するバンド本体の位置を適切な位置に確保することできる。
【０００６】
【発明の実施の形態】
図１から図６は一実施形態であって、図１は二次成形機構２３を模式的に示し、図２は二次成形機構２３の一部の外観を示し、図３は二次成形機構２３の一部の断面を示し、図４は遊技盤１に取り付けられたバンド７の平面を示し、図５はバンド取付装置を模式的に示し、図６は二次成形の工程を示す。
【０００７】
図５に示すように、バンド取付装置に供給される遊技盤１はベニヤ板のような合板からなる方形状の遊技基板の一表面に図柄の印刷された合成樹脂からなる化粧シートを接合した意匠盤面を有する一方、基準孔２、部品逃孔３、アウト口４、バンド取付用下孔５；６が形成された形態とする。部品逃孔３、アウト口４、バンド取付用下孔５；６は基準孔２を基準とした位置に形成される。バンド取付装置に供給されるバンド７は帯状のバンド本体８の長縁下部に形成された複数の長孔９に割ピンのような複数の固着具１０の曲折部を個別に挿入したことによってバンド本体８に複数の固着具１０を横振れ可能に結合した形態とする。
【０００８】
図５を参照し、バンド取付装置について説明する。バンド取付装置として、遊技盤搬送装置１１で左側に示す遊技盤１を矢印Ｘ１方向の一方向に搬送する一方、バンド本体８を遊技盤１に取り付けられる所定の弧状（図５の右上の遊技盤１に取り付けられた弧状）に曲げ成形するとともに、複数本の固着具１０を遊技盤１のバンド取付用下孔５に挿入することで、バンド７を遊技盤１に取り付ける装置を例として説明する。
【０００９】
バンド取付装置は遊技盤搬送装置１１の側部にバンド供給装置１２、バンド成形装置１３、バンド挿入装置１４を備える。そして、バンド供給装置１２に多数本のバンド７の搭載されたバンドパレット１５を供給した状態において、遊技盤１が遊技盤搬送装置１１で搬入エリア１６に到達すると、遊技盤ストッパー１７が下降限度位置から上昇して上昇限度位置に停止する過程で遊技盤搬送装置１１の搬送体１８よりも上方に突出し、搬送体１８で搬送されてくる遊技盤１の搬送方向（矢印Ｘ１方向）先端面に接触して遊技盤１を搬入エリア１６の内部に停止する。
【００１０】
その後、遊技盤１のバンド挿入エリア１９への供給時期になると、遊技盤ストッパー１７が上昇限度位置から下降して下降限度位置に停止する過程において搬送体１８よりも下方に引っ込み前記遊技盤１との接触を解放すると、遊技盤１が搬送体１８で搬入エリア１６からバンド挿入エリア１９に搬送される。バンド挿入エリア１９では遊技盤ストッパー２０が下降限度位置から上昇して上昇限度位置に停止する過程で搬送体１８よりも上方に突出し、搬送体１８で搬送されてくる遊技盤１の搬送方向先端面に接触して遊技盤１をバンド挿入エリア１９の内部に停止する。その後、遊技盤リフト２１が下降限度位置から上昇して上昇限度位置に停止する過程で搬送体１８よりも上方に突出し、遊技盤ストッパー２０で停止している遊技盤１を搬送体１８より上方に浮上支持する。
【００１１】
一方、バンド７がバンド供給装置１２からバンド成形装置１３に受け取られることで、バンド本体８がバンド成形装置１３で遊技盤１に取り付けられる所定の弧状（図４または図５の右上に示す遊技盤１に取り付けられた弧状）に曲げ成形された後、バンド成形装置１３からバンド挿入装置１４に受け取られる。そして、遊技盤１が搬入エリア１６からバンド挿入エリア１９に到達するまでの間に、バンド７を受け取ったバンド挿入装置１４がバンド挿入エリア１９の真上に待機している。そして、遊技盤１がバンド挿入エリア１９に到達して遊技盤リフト２１で搬送体１８から浮上支持され、遊技盤リフト２１が上昇限度位置に停止し、バンド７を支持したバンド挿入装置１４が遊技盤リフト２１上の遊技盤１に向けて下降することで、固着具１０がバンド挿入エリア１９に位置決めしつつ取り込まれた遊技盤１のバンド取付用下孔５に挿入されて遊技盤１に抜けないように取り付けられる。この固着具１０がバンド取付用下孔５に挿入されるよりも前の時期において、図外の位置決めピンが基準孔２に挿入されることによって、バンド７を支持したバンド挿入装置１４と遊技盤リフト２１で浮上支持された遊技盤１とが位置決めされる。
【００１２】
バンド成形装置１３は一次成形機構２２と二次成形機構２３とを備える。一次成形機構２２はバンド成形装置１３とバンド供給装置１２とに対する矢印Ｘ２で示す横移動と昇降とを行うとともにバンド本体８を掴む機能を有し、バンド供給装置１２から受け取ったバンド７のバンド本体８を少し曲げる予備成形を行う。二次成形機構２３は一次成形機構２２とバンド挿入装置１４とに対する矢印Ｘ３で示す横移動（一次成形機構２２の横移動と直交する方向の横移動）と昇降を行うとともにバンド本体８を掴む機能および複数の固着具１０の先端部を位置決めする機能を有し、一次成形機構２２から受け取ったバンド７のバンド本体８を遊技盤１に取り付ける弧状に曲げる本成形を行う。バンド挿入装置１４は二次成形機構２３とバンド挿入エリア１９とに対する矢印Ｘ３で示す横移動（二次成形機構２３と同方向の横移動）と昇降とを行うとともに複数の固着具１０を掴む機能を有し、二次成形機構２３から受け取ったバンド７の固着具１０をバンド挿入エリア１９における遊技盤１のバンド取付用下孔５に挿入する。
【００１３】
図３を参照し、二次成形機構２３について説明する。二次成形機構２３は二次成形機構２３を全体的に昇降する機構ベース２５の上方にハンドツール可動ベース２６を備え、ハンドツール可動ベース２６の上面にハンドツール２７を備える。ハンドツール２７はバンド本体８の板厚方向に相対峙する一対のローラ２８；２９を備える。バンド本体８の内側に位置するローラ２８はハンドツール可動ベース２６に固定的に設けられた支柱３０に回転可能に支持される。バンド本体８の外側に位置するローラ２９はハンドツール可動ベース２６に可動的に設けられた支柱３１に回転可能に支持される。支柱３１は上部にバンドストッパー３２をローラ２９の外周面よりも外側に突出するように備える。支柱３１は支柱３０を逃げる逃孔３３を有するハンド可動ベース３４に固定される。ハンド可動ベース３４はハンドツール可動ベース２６に取り付けられたエアシリンダーのようなハンド開閉駆動源３５によって外側から内側に向けてガイド３６で案内されつつ閉動作すると、ローラ２９がローラ２８に近づく方向に横移動し、ローラ２８とローラ２９とがバンド本体８を板厚方向両側から挟む格好で支持する。機構ベース２５は二次成形機構２３の土台としての図外の装置本体に設けられた図外の横移動機構の可動体に固定的に取り付けられたエアシリンダーのような機構昇降駆動源３７で昇降する。
【００１４】
機構ベース２５とハンドツール可動ベース２６との間には決定ツール可動ベース３８を備え、決定ツール可動ベース３８の上面に位置決定ツール３９を備える。位置決定ツール３９は固着具１０を挿入する上下方向に貫通するすり鉢状の孔４０を備える。決定ツール可動ベース３８は機構ベース２５に取り付けられたエアシリンダーのような決定ツール昇降駆動源４１で昇降する。そして、決定ツール可動ベース３８が決定ツール昇降駆動源４１で図示のように下降限度位置に停止していると、位置決定ツール３９の上部がハンドツール可動ベース２６に形成された開口部４２を経由して決定ツール可動ベース３８の上面よりも下方に退避し、位置決定ツール３９が固着具１０と干渉しないようになっている。また、決定ツール可動ベース３８が決定ツール昇降駆動源４１で上昇すると、位置決定ツール３９の上部が開口部４２を経由して決定ツール可動ベース３８よりも上方に突出し、孔４０が本成形形態となったバンド７の固着具１０の先端部を接触し得る程度でがたつくことがない整合形態で取り込むようになる。
【００１５】
よって、二次成形機構２３は機構昇降駆動源３７で昇降を行い、ローラ２９がローラ２８に近づくように横移動してローラ２８とローラ２９とがバンド本体８を掴むことでバンド本体８に対する本成形を行い、位置決定ツール３９の孔４０が固着具１０の先端部を挿入することで複数の固着具１０の先端部を個別に位置決めする。
【００１６】
図１および図２を参照し、二次成形機構２３におけるハンドツール２７と位置決定ツール３９とバンド７との平面的な全体の位置関係について説明する。ハンドツール可動ベース２６の上面には、ハンドツール２７が一次成形機構２２から実線で示す予備成形形態で供給されたバンド本体８の固着具１０（図４参照）をバンド本体８の長手方向に避けた近傍を多点支持するように設けられ、バンド本体８の一端部を受け止める固定基準ブロック４８が固定され、バンド本体８の一端部を固定基準ブロック４８の基準溝４９で受け止めるためにバンド本体８の他端部を固定基準ブロック４８の方向に押圧する押圧機構５０が設けられる。押圧機構５０の可動ブロック５１はハンドツール可動ベース２６に取り付けられたエアシリンダーのような押圧駆動源５２で固定基準ブロック４８から離れる方向と近づく方向とに開閉する。ハンドツール可動ベース２６の上面には、バンド本体８が本成形される場合に上方にせり上がるのを防止するせり上がり防止機構５３が設けられる。せり上がり防止機構５３のせり上がり防止体５４がハンドツール可動ベース２６に取り付けられたエアシリンダーのようなせり上がり防止駆動源５５でバンド本体８の上部を被覆したり解放したりするように横移動する。
【００１７】
図６も参照し、一次成形機構２２からバンド７を受け取った二次成形機構２３の動作について説明する。ステップ１０１において、ローラ２９がローラ２８から離れて開いている状態において、一次成形機構２２で支持されたバンド本体８が実線で示す予備成形形態でローラ２８とローラ２９との間の隙間に供給される。この場合、図１に示す押圧機構５０の可動ブロック５１はエアシリンダーのような押圧駆動源５２で開いており（可動ブロック５１が固定基準ブロック４８から離れる方向に移動している）、一次成形機構２２で支持されたバンド本体８の長手方向の両端部は固定基準ブロック４８と押圧機構５０との間の隙間に配置される。その後、図１に示すせり上がり防止機構５３のせり上がり防止体５４がエアシリンダーのようなせり上がり防止駆動源５５でバンド本体８の上に覆うように配置される。
【００１８】
これと並行し、図１のローラ２９がハンド開閉駆動源３５で外側から内側に向けて閉動作すると、ローラ２９がローラ２８に近づくように横移動する。ローラ２９が図１に実線で示すバンド本体８に接触する程度まで近づいたところで、バンド本体８に対する一次成形機構２２による支持が解放される。この一次成形機構２２による支持が解放されることで、せり上がり防止体５４がバンド本体８の上方へのせり上がりを防止したまま、バンド本体８が自身の弾性で一次成形形態を外側に少し広がるように戻り、ステップ１０２に示すように、バンド本体８の上部がローラ２９よりローラ２８の方向に突出するように支柱３１に設けられたバンドストッパー３２の下に潜り込みつつ、バンド本体８の外側面がローラ２９に接触する。
【００１９】
その後、図１の押圧機構５０の可動ブロック５１が押圧駆動源５２で固定基準ブロック４８の方向に前進することで、可動ブロック５１がバンド本体８を固定基準ブロック４８の方向に押し動かし、バンド本体８の長手方向の一端部が固定基準ブロック４８の基準溝４９に引き込まれる。バンド本体８の一端部が固定基準ブロック４８の基準溝４９に引き込まれて受け止められることで、バンド本体８の長手方向の位置が基準溝４９を基準として位置決めされる。バンド本体８が可動ブロック５１で押し動かされる場合、ローラ２９が回転するので、バンド本体８の移動が円滑であるとともに、バンド本体８がローラ２９から擦過傷などの損傷を受けることもない。その後、可動ブロック５１が押圧駆動源５２で固定基準ブロック４８から離れるの方向に後退する。
【００２０】
引き続き、ステップ１０３に示すように、前記ローラ２９のローラ２８に近づく方向への横移動で、ローラ２８とローラ２９とがバンド本体８を板厚方向両側から挟む格好で支持する。これによって、図１に仮想線で示すようにバンド本体８が遊技盤１に取り付けられる本成形形態となる。仮想線で示す本成形形態となったバンド７Ｃにおける複数の固着具１０の各々は位置決定ツール３９の孔４０と同軸状となって孔４０の真上に配置される。その後、ステップ１０４に示すように、決定ツール可動ベース３８が決定ツール昇降駆動源４１で上昇し、固着具１０の先端部が孔４０に取り込まれる。
【００２１】
図４および図５の右上示す遊技盤１において符号６１はバンド７の内側に取り付けられた内バンド、６２は内バンド６１の固着具、６３はアウト口４を縁取るように遊技盤１に取り付けられたハートである。バンド７は内バンド６１に対する外バンドと呼ばれる。内バンド６１もバンド７と同様の工程で遊技盤１に取り付けられる。内バンド６１が遊技盤１に取り付けられる場合、固着具６２が遊技盤１のバンド取付用下孔６に挿入される前に、ハート６３が遊技盤１のアウト口４の周りに搭載され、固着具６２の２本がハート６３に形成された図外の貫通孔を上方から経由してバンド取付用下孔６に挿入されれば、内バンド６１とハート６３とを固着具６２で共締めしつつ遊技盤１に取り付けることができる。
【図面の簡単な説明】
【図１】一実施形態の二次成形機構を示す平面的な模式図。
【図２】同実施形態の二次成形機構の一部を示す斜視図。
【図３】同実施形態の二次成形機構の一部を示す断面図。
【図４】同実施形態の遊技盤に取り付けられたバンドを示す平面図。
【図５】同実施形態のバンド取付装置を示す平面的な模式図。
【図６】同実施形態の二次成形を示す工程図。
【図７】従来例を示す模式図。
【符号の説明】
１　遊技盤
５　バンド取付用下孔
７　バンド
８　バンド本体
１０　固着具
２７　ハンドツール
２８；２９　ローラ
３１　支柱
３２　バンドストッパー
３５　ハンド開閉駆動源
４８　固定基準ブロック
５０　押圧機構
【図１】
2004081438.tif 000003
【図２】
2004081438.tif 000004
【図３】
2004081438.tif 000005
【図４】
2004081438.tif 000006
【図５】
2004081438.tif 000007
【図６】
2004081438.tif 000008
【図７】
2004081438.tif 000009